(57)【要約】【課題】安価に製造でき、効果的に記録媒体の蛇行を防止することができる画像形成装置及び画像形成方法を提供する。【解決手段】画像形成装置は、ロール状の記録媒体を回転自在に掛ける記録媒体掛け部と、記録媒体に画像形成する画像形成部と、画像形成部と記録媒体を挟んで対向する位置に配置されるプラテンと、筐体の排出口に向かって鋭角を形成する剥離板と、剥離板の記録媒体搬送方向下流に回転自在に配置され、記録媒体幅方向両端部に向かって直径が細くなる寄り戻しローラと、記録媒体の台紙を巻き取る巻き取り部と、を備える。【選択図】図１
2013052910.tif 000002
【特許請求の範囲】
【請求項１】
ロール状の記録媒体を回転自在に掛ける記録媒体掛け部と、
前記記録媒体に画像形成する画像形成部と、
前記画像形成部と前記記録媒体を挟んで対向する位置に配置されるプラテンと、
筐体の排出口に向かって鋭角を形成する剥離板と、
前記剥離板の記録媒体搬送方向下流に回転自在に配置され、前記記録媒体幅方向両端部に向かって直径が細くなる寄り戻しローラと、
前記記録媒体の台紙を巻き取る巻き取り部と、
を備える画像形成装置。
【請求項２】
前記寄り戻しローラは、
前記剥離板の記録媒体搬送方向すぐ下流に配置される請求項１記載の画像形成装置。
【請求項３】
前記寄り戻しローラは、
前記剥離板の記録媒体搬送方向下流にプラテンを挟んで配置される請求項１記載の画像形成装置。
【請求項４】
前記寄り戻しローラは、
前記記録媒体に常時接触している請求項２又は請求項３記載の画像形成装置。
【請求項５】
前記寄り戻しローラは、
長手方向の長さが前記記録媒体の幅よりも長い請求項４記載の画像形成装置。
【請求項６】
前記寄り戻しローラは、
前記記録媒体に張力を与える方向に付勢される請求項５記載の画像形成装置。
【請求項７】
画像形成部によって記録媒体に画像形成し、
剥離板の記録媒体搬送方向下流に回転自在に配置され、前記記録媒体幅方向両端部に向かって直径が細くなる寄り戻しローラによって前記記録媒体の寄りを戻し、
巻き取り部によって前記記録媒体の台紙を巻き取る画像形成方法。
【請求項８】
前記寄り戻しローラは、
前記剥離板の記録媒体搬送方向すぐ下流に配置される請求項７記載の画像形成方法。
【請求項９】
前記寄り戻しローラは、
前記剥離板の記録媒体搬送方向下流にプラテンを挟んで配置される請求項７記載の画像形成方法。
【請求項１０】
前記寄り戻しローラは、
前記記録媒体に常時接触している請求項８又は請求項９記載の画像形成方法。
【請求項１１】
前記寄り戻しローラは、
長手方向の長さが前記記録媒体の幅よりも長い請求項１０記載の画像形成方法。
【請求項１２】
前記寄り戻しローラは、
前記記録媒体に張力を与える方向に付勢される請求項１１記載の画像形成方法。
【発明の詳細な説明】
【技術分野】
【０００１】
本発明の実施形態は、画像形成装置及び画像形成方法に関する。
【背景技術】
【０００２】
ロール状の台紙に貼付されたラベルに画像を形成する画像形成装置が開発されている。この種の画像形成装置は、ラベルに画像形成した後、ラベルの貼付された台紙を剥離板の鋭角部分に掛けまわしてリワインダにより巻き取る。ラベルは台紙より厚く硬さがあるため、剥離板により台紙から剥離され、排出口から排出される。
【０００３】
ここで、台紙が巻き取られる過程において、台紙が幅方向にずれることがある。この主な原因は、剥離板のたわみによる。
【０００４】
ずれたまま巻き取られると、台紙はリワインダの一方に偏り巻き取り不良の原因となり、最悪の場合ジャムが発生する。
【０００５】
この点に関し、樽型の蛇行取りローラを記録媒体の搬送路に配置し、この蛇行取りローラを一定間隔にて記録媒体に接触と非接触とを繰り返すことにより、記録媒体の蛇行を防止する技術が提案されている。
【０００６】
しかし、この技術によっては機構が複雑になり、製造コストが上昇する。また、蛇行取りローラを記録媒体から離すと再び記録媒体は蛇行するため、蛇行防止の効果が不十分である。
【先行技術文献】
【特許文献】
【０００７】
【特許文献１】特開２００１−３５４３４１号公報
【発明の概要】
【発明が解決しようとする課題】
【０００８】
従って、安価に製造でき、効果的に記録媒体の蛇行を防止することができる画像形成装置及び画像形成方法が求められている。
【課題を解決するための手段】
【０００９】
上記の課題を解決するために、本発明の一実施形態は、ロール状の記録媒体を回転自在に掛ける記録媒体掛け部と、記録媒体に画像形成する画像形成部と、画像形成部と記録媒体を挟んで対向する位置に配置されるプラテンと、筐体の排出口に向かって鋭角を形成する剥離板と、剥離板の記録媒体搬送方向下流に回転自在に配置され、記録媒体幅方向両端部に向かって直径が細くなる寄り戻しローラと、記録媒体の台紙を巻き取る巻き取り部と、を備える画像形成装置を提供する。
【図面の簡単な説明】
【００１０】
【図１】画像形成装置の構成を示す断面図である。
【図２】寄り戻しローラを示す図である。
【図３】画像形成装置の構成を示すブロック図である。
【図４】応用例に係る画像形成装置を示す断面図である。
【発明を実施するための形態】
【００１１】
以下、画像形成装置及び画像形成方法の一実施形態について、図面を用いて詳細に説明する。
【００１２】
本実施形態の画像形成装置は、ロール状の記録媒体を回転自在に掛ける記録媒体掛け部と、記録媒体に画像形成する画像形成部と、画像形成部と記録媒体を挟んで対向する位置に配置されるプラテンと、筐体の排出口に向かって鋭角を形成する剥離板と、剥離板の記録媒体搬送方向下流に回転自在に配置され、記録媒体幅方向両端部に向かって直径が細くなる寄り戻しローラと、記録媒体の台紙を巻き取る巻き取り部と、を備える。
【００１３】
図１は、画像形成装置１の構成を示す断面図である。図１に示すように、画像形成装置１は、ロール状の記録媒体１１を回転自在に掛ける記録媒体掛け部１１Ａと、記録媒体１１に貼付されたラベル１１Ｂの間隔を検知するセンサ１９と、記録媒体１１に画像形成する画像形成部であるヘッド１２と、ヘッド１２と記録媒体を挟んで対向する位置に配置されるプラテン１３と、筐体１０の排出口１５に向かって鋭角を形成する剥離板１４と、剥離板１４の記録媒体搬送方向下流に回転自在に配置され、記録媒体幅方向に樽型形状をなす寄り戻しローラ２０と、寄り戻しローラ２０を記録媒体１１に張力を与える方向に付勢する付勢機構２１と、記録媒体１１の台紙１１Ｃを巻き取る巻き取り部１６と、巻き取り部１６を駆動させる駆動装置１７と、画像形成部及び駆動装置１７を制御する制御部１８と、を備える。
【００１４】
記録媒体１１は、記録媒体掛け部１１Ａに掛けられ、ヘッド１２及びプラテン１３の間を通され、剥離板１４の鋭角部に掛けまわされ、寄り戻しローラ２０に接触するように掛けられ、巻き取り部１６によって巻き取られる。
【００１５】
寄り戻しローラ２０は記録媒体１１と常時接触している。
【００１６】
記録媒体１１の台紙１１Ｃに貼付されたラベル１１Ｂは剥離板１４によって剥離される。
【００１７】
寄り戻しローラ２０は、剥離板１４の矢印Ｙに示す記録媒体搬送方向の下流に剥離板１４に隣接して配置される。すなわち、寄り戻しローラ２０は、剥離板１４の矢印Ｙに示す記録媒体搬送方向のすぐ下流に配置される。
【００１８】
従って、剥離板１４によってラベル１１Ｂが剥離される際に、記録媒体１１の寄りを最小限にすることができる。
【００１９】
寄り戻しローラ２０の記録媒体１１との接触点２０Ａは、剥離板１４の記録媒体１１が離間する接触部１４Ａと、巻き取り部１６の記録媒体１１の巻き取られる点１６Ａとを結ぶ直線Ｌ１よりもヘッド１２から離れる方向に配置される。
【００２０】
付勢機構２１はバネなどの弾性体を用いることができる。付勢機構２１は寄り戻しローラ２０を、矢印Ｘに示す記録媒体１１に張力を与える方向に付勢する。
【００２１】
図２は、寄り戻しローラ２０を示す図である。図２（Ａ）は寄り戻しローラ２０の平面図、図２（Ｂ）は寄り戻しローラ２０の図２（Ａ）におけるＡＡ線断面図、図２（Ｃ）は寄り戻しローラ２０の図２（Ａ）におけるＢＢ線断面図である。
【００２２】
図２（Ａ）乃至図２（Ｃ）に示すように、寄り戻しローラ２０は、記録媒体１１の幅方向に樽形状をなす。すなわち、寄り戻しローラ２０は、長手方向の中央部分の直径Ｈ２は両端部の直径Ｈ１より大きく、直径の大きさは両端に行くに従って滑らかに小さくなる。
【００２３】
寄り戻しローラ２０の長手方向の幅Ｗ２は、記録媒体１１の幅Ｗ１よりも長い。
【００２４】
寄り戻しローラ２０は、回転軸が記録媒体１１の搬送方向に対して垂直になるように配置される。
【００２５】
記録媒体１１は、寄りがない場合は、幅方向の中央部分と、寄り戻しローラ２０の長手方向中央部分とが一致するように寄り戻しローラに接触する。
【００２６】
ここで、寄りが発生すると、記録媒体１１の幅方向の両端部が接触している寄り戻しローラの２０の直径が異なる。寄り戻しローラ２０の直径は中央部分に行くに従って大きくなるため、記録媒体１１の搬送量は寄り戻しローラ１０の中央部分に行くに従って多くなる。従って、寄りが生じた記録媒体１１は記録媒体１１の幅方向の中央部分が寄り戻しローラ２０の長手方向の中央部分に向かって引っ張られ、寄りが戻される。
【００２７】
ここで、寄り戻しローラ２０の長手方向の幅Ｗ２が記録媒体１１の幅Ｗ１よりも短い場合は、記録媒体１１が寄り戻しローラ２０から端部が外れてしまう。画像形成装置１の場合、記録媒体１１はラベル１１Ｂを剥離するために張力がかけられる。
【００２８】
従って、録媒体１１が寄り戻しローラ２０から端部が外れてしまうと記録媒体１１の寄りは戻すことができなくなり、最悪の場合台紙１１Ｃが破損する。
【００２９】
しかし、寄り戻しローラ２０の長手方向の幅Ｗ２は、記録媒体１１の幅Ｗ１よりも長いため、記録媒体１１が一方に寄っても記録媒体１１との接触を維持できる。
【００３０】
従って、録媒体１１が寄り戻しローラ２０から端部が外れるという問題は生じない。
【００３１】
図３は、画像形成装置１の構成を示すブロック図である。図３に示すように、画像形成装置１は、制御部であるＣＰＵ３１と、記憶装置であるＲＯＭ・ＲＡＭ３２と、画像形成部であるヘッド１２と、巻き取り部１６を駆動させる駆動装置１７と、センサ１９と、外部装置との通信を行うための通信インターフェース３４と、を備える。
【００３２】
ＣＰＵ３１は、センサ１９からの入力を受け、ＲＯＭ・ＲＡＭ３２、ヘッド１２、駆動装置１７、通信インターフェース３４の動作を制御する。
【００３３】
図４は、応用例に係る画像形成装置１を示す断面図である。図４に示すように、画像形成装置１は、ロール状の記録媒体１１を回転自在に掛ける記録媒体掛け部１１Ａと、記録媒体１１に貼付されたラベル１１Ｂの間隔を検知するセンサ１９と、記録媒体１１に画像形成する画像形成部であるヘッド１２と、ヘッド１２と記録媒体を挟んで対向する位置に配置されるプラテン１３と、筐体１０の排出口１５に向かって鋭角を形成する剥離板１４と、剥離板１４の記録媒体搬送方向下流にプラテン１３を挟んで回転自在に配置され、記録媒体幅方向に樽型形状をなす寄り戻しローラ２０と、寄り戻しローラ２０を記録媒体１１に張力を与える方向に付勢する付勢機構２１と、記録媒体１１の台紙１１Ｃを巻き取る巻き取り部１６と、巻き取り部１６を駆動させる駆動装置１７と、画像形成部及び駆動装置１７を制御する制御部１８と、を備える。
【００３４】
記録媒体１１は、記録媒体掛け部１１Ａに掛けられ、ヘッド１２及びプラテン１３の間を通され、剥離板１４の鋭角部に掛けまわされ、プラテン１３に再び接触し、寄り戻しローラ２０に接触するように掛けられ、巻き取り部１６によって巻き取られる。
【００３５】
寄り戻しローラ２０は記録媒体１１と常時接触している。
【００３６】
記録媒体１１の台紙１１Ｃに貼付されたラベル１１Ｂは剥離板１４によって剥離される。
【００３７】
寄り戻しローラ２０は、剥離板１４の矢印Ｙに示す記録媒体搬送方向の下流にプラテン１３を挟んで配置される。すなわち、寄り戻しローラ２０は、剥離板１４の矢印Ｙに示す記録媒体搬送方向下流のプラテン１３に隣接して配置される。
【００３８】
従って、剥離板１４によってラベル１１Ｂが剥離される際、及びプラテン１３によって搬送される際に、記録媒体１１の寄りを最小限にすることができる。
【００３９】
寄り戻しローラ２０の記録媒体１１との接触点２０Ａは、剥離板１４の記録媒体搬送方向下流においてプラテン１３と記録媒体１１が接触する点１３Ａと、巻き取り部１６の記録媒体１１の巻き取られる点１６Ａとを結ぶ直線Ｌ２よりもヘッド１２から離れる方向に配置される。
【００４０】
付勢機構２１はバネなどの弾性体を用いることができる。付勢機構２１は寄り戻しローラ２０を、矢印Ｘに示す記録媒体１１に張力を与える方向に付勢する。
【００４１】
以上述べたように、本実施形態の画像形成装置１は、剥離板１４の記録媒体搬送方向下流に回転自在に配置され、記録媒体幅方向に樽型形状をなす寄り戻しローラ２０と、記録媒体１１の台紙１１Ｃを巻き取る巻き取り部１６と、巻き取り部１６を駆動させる駆動装置１７と、を備える。
【００４２】
従って、画像形成装置１を安価に製造でき、効果的に記録媒体の蛇行を防止することができるという効果がある。
【００４３】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４４】
１２：ヘッド
１３：プラテン
１４：剥離板
２０：寄り戻しローラ
【図１】
2013052910.tif 000003
【図２】
2013052910.tif 000004
【図３】
2013052910.tif 000005
【図４】
2013052910.tif 000006